(57)【要約】【課題】既製品の枠つかみ器は、それの柄をかなりの握力で握って、蜜蜂飼育用巣枠を一例とする品物３をはさんだ状態を置き場に置いてしまうまで保持してつり下げているので、片手で一つしか持ち運べない。本発明は、この不具合をなくす為に、品物３に片手でほとんど時間を要せずに取付取外しができ、つり下げ目的の正常な使用範囲で外れる事がない事で、保持する為の握力を使わずに持ち運べる着脱式取っ手を取付ける事を目的とする。【解決手段】上記目的のために本発明は、品物３に取付けるときの、つかみ部分の中心点１、二ケ所の取付部分２Ａ、２Ｂの三点の位置関係が、点１、点２Ａ、点２Ｂの順に結んでできる二本の直線のなす角が１５°〜３５°の二等辺三角形である取付取外し自由の取っ手を作る。この取っ手は、つり下げて持ち運ぶときに、上記の点２Ａ、点２Ｂの間に生じる引寄せる力が、品物３の自重に応じてかかる事を利用するものである。【選択図】図１
2019018915.tif 000002
【特許請求の範囲】
【請求項１】
つり下げて持ち運ぼうとする品物にほとんど時間を要せずに片手で取付取外しができ、つり下げ目的の正常な使用範囲で外れる事がない事で、保持する為の握力を使わずに持ち運べる着脱式取っ手。以下の条件（イ）〜（ニ）を満たすものであれば、その他の形状や構造等については全く自由である。
（イ）取っ手を、つり下げて持ち運ぼうとする品物に取付けるときの、つかみ部分の中心    点、一方の取付部分、他方の取付部分の三点の位置関係が、つかみ部分の中心点、一    方の取付部分、他方の取付部分の順に結んで出来る二本の直線のなす角が１５°〜３    ５°の二等辺三角形であるもの。
（ロ）つり下げて持ち運んでいるときに、上記（イ）の二ヶ所の取付部分の間に生じる引    寄せる力が、つり下げて持ち運ぼうとする品物の自重に応じてかかる事を利用するも    の。
（ハ）取付後、正常な範囲で手を離しても上記（イ）の位置関係を保ち、外れる事のない    様に、上記（イ）の二ヶ所取付部分の間の自然状態の距離を、置いたときの自重によ    るたわみなどで取付けるときの距離より長くなり過ぎないようにしてあるもの。
（ニ）つかみ部分のつかみ方による変形で外れる事のないようにしてあるもの。
【発明の詳細な説明】
【技術分野】
【０００１】  本発明は、品物３に片手でほとんど時間を要せずに取付取外しができ、つり下げ目的の正常な使用範囲で外れる事がない事で、保持する為の握力を使わずに持ち運べる着脱式取っ手に関するものである。
【背景技術】
【０００２】  現在、つり下げて持ち運ぶのに難渋している品物３の一例として蜜蜂飼育用巣枠がある。既製品の枠つかみ器は、それの柄４をかなりの握力で握って、それのはさみ部５でその品物３をはさんだ状態を置き場に置いてしまうまで保持し、つり下げて持ち運んでいる。その枠つかみ器の使用状況の一例を図４に示す（「２０１６  総合カタログ  熊谷養蜂株式会社」の９頁のスライド式蜂はらい器の写真を参照。）。その枠つかみ器の例を図２、図３に示す（「２０１６  総合カタログ  熊谷養蜂株式会社」の５頁の枠つかみ器の写真を参照。）。養蜂用具を扱っている業者のかなり多くがこれらと同様のものを販売している。
【発明の概要】
【発明が解決しようとする課題】
【０００３】  既製品の枠つかみ器は、それの柄４をかなりの握力で握って、それのはさみ部５で蜜蜂飼育用巣枠を一例とする品物３をはさんだ状態を置き場に置いてしまうまで保持してつり下げているので、片手で一つしか持ち運べないという不具合がある。本発明は、この不具合をなくす為に、品物３に片手でほとんど時間を要せずに取付取外しができ、つり下げ目的の正常な使用範囲で外れる事がない事で、保持する為の握力を使わずに持ち運べる着脱式取っ手を取付ける事を目的とする。
【課題を解決するための手段】
【０００４】  上記目的のために本発明は、以下の条件（イ）〜（ニ）を満たす着脱式取っ手を作る。
（イ）取っ手を品物３に取付けるときの、つかみ部分の中心点１、一方のの取付部分２      Ａ、他方の取付部分２Ｂの三点の位置関係が、点１、点２Ａ、点２Ｂの順に結んで      できる二本の直線のなす角が１５°〜３５°の二等辺三角形であるもの。この角が      図１の∠ａである。
（ロ）つり下げて持ち運んでいるときに、上記（イ）の点２Ａ、点２Ｂの間に生じる引      寄せる力が、品物３の自重に応じてかかる事を利用するもの。
（ハ）取付後、正常な範囲で手を離しても上記（イ）の位置関係を保ち、外れる事のな      いように、上記（イ）の点２Ａ、点２Ｂの間の自然状態の距離を、置くときの自重      によるたわみなどで取付けるときの距離より長くなり過ぎないようにしてあるもの      。
（ニ）つかみ部分のつかみ方による変形で外れる事のないようにしてあるもの。
【発明の効果】
【０００５】  既製品の枠つかみ器で持ち運んでいる蜜蜂飼育用巣枠などを一例とする品物３に図１の様に上記の着脱式取っ手を取付けると、品物３をかなり傾けても外れる心配がないので点検などが楽にでき、かなり多数の品物３を同時に片手で持ち運べる。【０００６】  普通、両手で持ち運んでいる容器なども、養蜂でよく使われていて、これらを一例とする品物３に、上記の着脱式取っ手を図５の様に取付けると、片手で持ち運べる様になる。その上、この着脱式取っ手は、取付取外しが簡単なので、倉庫、工場、家庭などでも使い出すと使いたくなるものが多い。
【図面の簡単な説明】
【０００７】
【図１】  着脱式取っ手を蜜蜂飼育用巣枠などを一例とする品物３取付けるときの正面図
【図２】  既製品の枠つかみ器の一例を示す写真
【図３】  既製品の枠つかみ器の一例を示す写真
【図４】  既製品の枠つかみ器の使用状況の一例を示す写真
【図５】  着脱式取っ手を、普通、両手持ち運んでいる容器などを一例とする品物３に取付けるときの斜視図
【発明を実施するための形態】
【０００８】  品物３に取付ける着脱式取っ手は、上記の（イ）〜（ニ）の条件を満たしていれば、形状や構造は全く自由であり、一枚板でも簡単に作れる。蜜蜂飼育用巣枠などを一例とする品物３に上桟の幅と同じかわずかにせまい帯状の一枚板を曲げて作った着脱式取っ手を取付けるときのおおよその様子の一例の正面図を図１に示す。着脱式取っ手の材質は弾力性のあるものなら、鉄、竹、プラスチックなど何でも良い。
【０００９】  品物３への取付部分２Ａ、２Ｂ及びその取付相手の形状や構造等はつり下げ目的の正常な使用範囲で外れないものであれば何でも良い。品物３を吊り下げる時の上記（イ）の点２Ａ、点２Ｂの間に生じる引き寄せる力の品物３の自重に対する倍率は、上記（イ）の点１、点２Ａ、点２Ｂの順に結んでできる二本の直線のなす角の大きさで決まり、２０°で約２．８倍、３０°で約１．７倍になる。この二本の直線のなす角を図１の∠ａとする。
【符号の説明】
【００１０】１          つかみ部分の中心点
２Ａ、２Ｂ  取付部分
３          品物
４          （枠つかみの）柄
５          （枠つかみの）はさみ部
∠ａ        点１，点２Ａ，点２Ｂの順に結ぶ直線のなす角
【図１】
2019018915.tif 000003
【図２】
2019018915.tif 000004
【図３】
2019018915.tif 000005
【図４】
2019018915.tif 000006
【図５】
2019018915.tif 000007